【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
自転車に取り付けるラックであって、
プラットフォームであって、上面と、凹部と、前記プラットフォームを自転車のフレームに対して取り外し可能に取り付けるための構造体とを有するプラットフォームと、
前記凹部に取り付けられたポストであって、当該ポストの少なくとも一部が前記凹部内を上方に通り前記プラットフォームの頂面の上に延在する伸長作動位置と、当該ポストが前記プラットフォームの下にある収縮位置との間で可動なポストと、
前記プラットフォームに取り付けられ、前記ポストと係合した袋が前記自転車の後輪と接触するのを阻止するために展開された状態に配置可能であり、格納された状態で前記プラットフォームに担持され得るように前記プラットフォームに取り付けられた左右のスカートと、
を含むことを特徴とするラック。
【請求項２】
請求項１に記載の自転車ラックにおいて、前記プラットフォームに旋回軸構造部があり、前記左右のスカートは、前記プラットフォームから下方に延びた場合の展開された状態から、前記プラットフォームの前記上面に格納され得る格納された状態まで移動できるように、前記旋回軸構造部に取り付けられることを特徴とする自転車ラック。
【請求項３】
請求項２に記載の自転車ラックにおいて、前記旋回軸構造部は、ピボットピンを画定するための、前記プラットフォームおよび前記スカートの縁部に形成されたスロットと、前記ピボットピンと係合するヒンジ構造体とを含むことを特徴とする自転車ラック。
【請求項４】
請求項３に記載の自転車ラックにおいて、前記ヒンジ構造体は、前記ピボットピンの両方と係合する数字の８の形の構造体を含むことを特徴とする自転車ラック。
【請求項５】
請求項１に記載の自転車ラックにおいて、各前記左右のスカートは、少なくとも第１および第２のパネルで形成され、前記第１のパネルは、前記プラットフォームにヒンジ式に連結され、前記第２のパネルは、前記第１のパネルにヒンジ式に連結されることを特徴とする自転車ラック。
【請求項６】
請求項５に記載の自転車ラックにおいて、前記プラットフォームおよび前記パネルはそれぞれが縁部フランジを有し、かつそれぞれがヒンジピンを画定するために前記フランジに隣接して形成されたスロットを有し、第２のパネルを前記第１のパネルとヒンジ式に連結し、前記第１のパネルを前記プラットフォームとヒンジ式に連結するのを可能にするためのヒンジ構造体が前記ピンと係合することを特徴とする自転車ラック。
【請求項７】
請求項６に記載の自転車ラックにおいて、前記ヒンジ式の構造体は、前記ヒンジピン対と係合する数字の８の形の構造体を含むことを特徴とする自転車ラック。
【請求項８】
自転車ラックであって、
自転車の後輪の上に取り付けるための左右の縁部を有するプラットフォームと、
前記プラットフォームの前記左右の縁部でそれぞれ旋回される、前記プラットフォームから下方に垂れ下がる展開された状態と、前記プラットフォームの上面に収まる格納された状態とを有する左右のスカートと、
前記プラットフォームにあり、袋が係合することができ、前記左右のスカートが展開された状態にある場合に、前記左右のスカートを用いて、前記袋が前記自転車の前記後輪と接触するのを防ぐ取付構造体と、
脚部と受け口によって前記プラットフォームに脱着可能に取り付けられるキャリアであって、前記左右のスカートが展開された状態と格納された状態のときに前記プラットフォームに取付可能なキャリアと、を含むことを特徴とする自転車ラック。
【請求項９】
請求項８に記載の自転車ラックにおいて、前記第１および第２のスカートは、垂れ下がった、展開された状態から、前記プラットフォーム上に収まる格納された状態まで旋回できるように、それぞれ前記プラットフォームに旋回可能に取り付けられることを特徴とする自転車ラック。
【請求項１０】
請求項９に記載の自転車ラックにおいて、前記左右のスカートはそれぞれ、少なくとも第１および第２のスカートパネルからなり、前記第１および第２のスカートパネルは、互いに対してヒンジ式に連結され、前記第１のスカートパネルは、前記プラットフォームに対してヒンジ式に連結されることを特徴とする自転車ラック。
【請求項１１】
請求項１０に記載の自転車ラックにおいて、前記第１および第２のパネルの間の前記ヒンジは、前記パネルに形成されたヒンジピンと、前記ヒンジピンと係合するヒンジ式の構造体とを含むことを特徴とする自転車ラック。
【請求項１２】
請求項８に記載の自転車ラックにおいて、前記キャリアは、受け口および脚部を有して、前記受け口および脚部が相互に係合した場合に、前記キャリアが前記プラットフォームに取り外し可能に取り付けられることを特徴とする自転車ラック。
【請求項１３】
請求項１２に記載の自転車ラックにおいて、前記受け口および脚部は、前記スカートが前記プラットフォームの上面で折り畳んだ状態にあるときに相互に係合することができることを特徴とする自転車ラック。
【請求項１４】
請求項８に記載の自転車ラックにおいて、前記左右のスカートは、それぞれ第１および第２のパネルからなり、前記パネルが、互いに対して、かつ前記プラットフォームに対して移動して、積み重ねた状態で前記プラットフォームの上面に収まることができるように、前記第１のパネルが前記プラットフォームに対してヒンジ式に連結され、前記第２のパネルが前記第１のパネルに対してヒンジ式に連結されることを特徴とする自転車ラック。
【請求項１５】
請求項１４に記載の自転車ラックにおいて、前記ヒンジは前記プラットフォームおよび前記パネルの前記縁部のスロットによって形成され、前記スロットがヒンジピンを画定し、ヒンジ部材があって前記ヒンジピンと相互に係合して前記パネル間のヒンジ式連結を可能にすることを特徴とする自転車ラック。
【請求項１６】
請求項８に記載の自転車ラックにおいて、前記キャリア構造部は箱状構造であることを特徴とする自転車ラック。
【請求項１７】
請求項８に記載の自転車ラックにおいて、前記取付構造体が直立するポストを前記プラットフォーム上にさらに含み、前記直立ポストは、前記自転車ラックでの担持のために食料品袋が前記直立ポストと係合できるように、前記プラットフォームより上に延びることを特徴とする自転車ラック。
【請求項１８】
請求項１７に記載の自転車ラックにおいて、前記直立ポストは、前記プラットフォームより上に延びる起きた状態から、前記プラットフォームの上面より下に収まる格納された状態まで移動できるように、前記プラットフォーム上で旋回されることを特徴とする自転車ラック。
【請求項１９】
自転車ラックであって、
自転車の後輪の上に取り付けるためのプラットフォームであって、左右の縁部を有するプラットフォームと、
前記プラットフォームの前記左右の縁部でそれぞれ旋回される、前記プラットフォームから下方に垂れ下がる展開された状態と、前記プラットフォームの上面に収まる格納された状態とを有する左右のスカートの少なくとも一方と、
前記プラットフォーム上にあり、袋が係合することができ、前記左右のスカートが展開された状態にある場合に、前記袋が前記自転車の前記後輪と接触するのが防がれる取付構造体と、
脚部と受け口によって前記プラットフォームに脱着可能に取り付けられるキャリアと、を含むことを特徴とする自転車ラック。